(57)【要約】      （修正有）【課題】胴振動の混入を抑えながら、弦振動を電気信号として出力することが可能なピックアップ機能付サドルを提供する。【解決手段】弦楽器の振動を電気信号として出力するピックアップ機能付サドルであって、上面側に複数の弦当接位置を有するサドル本体２と、このサドル本体２の複数の弦当接位置の下方に配設される圧電素子３ｂを有するセンサと、このセンサの圧電素子３ｂの上面側又は下面側のうち前記複数の弦当接位置と対偶する位置に配設される複数の補強部４とを備える。前記センサが、圧電素子３ｂの上面又は下面に積層される基板３ａをさらに有していることが好ましく、前記センサが、前記複数の弦当接位置と対偶する位置に配設される複数の圧電素子３ｂを有していることが好ましい。【選択図】図１
2013200427.tif 000002
【特許請求の範囲】
【請求項１】
弦楽器の振動を電気信号として出力するピックアップ機能付サドルであって、
上面側に複数の弦当接位置を有するサドル本体と、
このサドル本体の複数の弦当接位置の下方に配設される圧電素子を有するセンサと、
このセンサの圧電素子の上面側又は下面側のうち前記複数の弦当接位置と対偶する位置に配設される複数の補強部と
を備えることを特徴とするピックアップ機能付サドル。
【請求項２】
前記センサが、圧電素子の上面又は下面に積層される基板をさらに有している請求項１に記載のピックアップ機能付サドル。
【請求項３】
前記センサが、前記複数の弦当接位置と対偶する位置に配設される複数の圧電素子を有している請求項２に記載のピックアップ機能付サドル。
【請求項４】
前記基板の上面に前記圧電素子が積層され、
前記複数の補強部が基板の下面に付設されている請求項２又は請求項３に記載のピックアップ機能付サドル。
【請求項５】
前記複数の補強部がサドル本体に一体に形成されている請求項１から請求項４のいずれか１項に記載のピックアップ機能付サドル。
【発明の詳細な説明】
【技術分野】
【０００１】
本発明は、ピックアップ機能付サドルに関する。
【背景技術】
【０００２】
アコースティックギター等の弦楽器の演奏音を増幅して電気的に出力する場合、弦楽器の振動を検出し、電気信号として出力するピックアップが用いられ、このピックアップからの電気信号をアンプで増幅することで演奏音が電気的に出力される。
【０００３】
前記ピックアップとしては、弦楽器の本体に装着され、圧電素子を備えるものが普及している。この圧電素子は、圧電体（圧電膜）が２枚の電極で挟まれた構造を有し、振動による圧力を受けると圧電体が変形して電極間に電圧を発生させるよう構成されている。
【０００４】
このようなピックアップを用いて弦楽器の原音により近い高質な音を電気的に出力するためには、できるだけノイズ（弦以外の振動等）を含まない弦振動を検出することが好ましい。かかる観点から、ピックアップに弦の振動を伝達しやすくすべく、サドル（弦の支持体）にピックアップを組み込んだピックアップ機能付サドルが考案されており、さらに弦振動の検出を向上させるために、サドルに各弦に対応するガイド溝を形成したピックアップ機能付サドル（特開昭５９−１９１０９９号公報参照）が開発されている。
【０００５】
しかし、前記従来のサドルは、ピックアップが胴体の一部（ブリッジ）に接触しているので、胴体の振動が不可避的に弦の振動と同時に検出される構造を有している。そのため、弦振動に胴振動が混入した信号が出力されてしまい、ノイズの少ない弦振動を電気信号として出力することが十分に達成できていない。
【先行技術文献】
【特許文献】
【０００６】
【特許文献１】特開昭５９−１９１０９９号公報
【発明の概要】
【発明が解決しようとする課題】
【０００７】
本発明は、前述のような事情に基づいてなされたものであり、胴振動の混入を抑えながら、弦振動を電気信号として出力することが可能なピックアップ機能付サドルを提供することを目的とする。
【０００８】
前記課題を解決するためになされた発明は、
弦楽器の振動を電気信号として出力するピックアップ機能付サドルであって、
上面側に複数の弦当接位置を有するサドル本体と、
このサドル本体の複数の弦当接位置の下方に配設される圧電素子を有するセンサと、
このセンサの圧電素子の上面側又は下面側のうち前記複数の弦当接位置と対偶する位置に配設される複数の補強部と
を備えることを特徴とする。
【０００９】
当該ピックアップ機能付サドルにおいては、圧電素子の上面側又は下面側に、弦当接位置と対偶する複数の補強部を備えるため、複数の弦当接位置と対偶する位置のセンサの剛性（弦当接方向の曲げ応力に対する変形のしにくさ）を大きくすることができる。これにより、圧電素子における複数の弦当接位置と対偶する位置の胴振動によるたわみを抑制して、弦振動の伝達強度を胴振動の伝達強度に対して相対的に大きくして検出することができる。そのため、当該ピックアップ機能付サドルは、胴振動の混入率が低い弦振動の電気信号を出力することができる。
【００１０】
前記センサが、圧電素子の上面又は下面に積層される基板をさらに有しているとよい。このように圧電素子を基板に積層することによって、圧電素子の剛性を高めることができるため、当該ピックアップ機能付サドルにおいて、胴振動の検出をさらに効果的に抑制することができる。また、センサが基板を有することによって、後述するような圧電素子の複数化及び配設位置の調節を容易かつ確実に実施することができる。
【００１１】
前記センサが、前記複数の弦当接位置と対偶する位置に配設される複数の圧電素子を有しているとよい。センサがこのような複数の圧電素子を有することで、胴振動の検出抑制効果をさらに高めるとともに、各弦の振動の検出を確実に行うことができる。
【００１２】
前記センサが基板を備える場合、前記基板の上面に前記圧電素子が積層され、前記複数の補強部が基板の下面に付設されているとよい。このように圧電素子を基板の上面に積層することによって、弦の振動をより容易かつ確実に検知することができると同時に、下面側から伝達される胴振動の検知を抑制することができる。また、補強部を基板の下面に付設することによって、各弦と対偶する位置にある圧電素子の剛度をさらに高めることができる。その結果、当該ピックアップ機能付サドルにおいて、胴振動の検出をさらに効果的に抑制することができる。
【００１３】
前記複数の補強部がサドル本体に一体に形成されているとよい。このように補強部をサドル本体と一体形成することで、当該ピックアップ機能付サドルの製造コストを低減することができる。
【００１４】
なお、「上面」及び「下面」に係る上下関係は、弦楽器の胴部の外方向を上、その反対方向を下とする。
【発明の効果】
【００１５】
以上説明したように、本発明のピックアップ機能付サドルは、胴振動の混入を抑えながら、弦振動を電気信号として出力することが可能である。そのため、弦楽器の演奏音を高質に電気出力することができ、アコースティックギター等に好適に用いることができる。
【図面の簡単な説明】
【００１６】
【図１】本発明の第一実施形態に係るピックアップ機能付サドルの弦と垂直方向の模式的断面図
【図２】本発明の第二実施形態に係るピックアップ機能付サドルの弦と垂直方向の模式的断面図
【図３】本発明の第三実施形態に係るピックアップ機能付サドルの弦と垂直方向の模式的断面図
【発明を実施するための形態】
【００１７】
以下、本発明のピックアップ機能付サドルの実施の形態を適宜図面を参照しつつ詳説する。
【００１８】
＜第一実施形態＞
図１のピックアップ機能付サドル１は、一般的には駒を介して弦楽器の胴部の表面側に突設され、複数の弦を支持するものである。当該ピックアップ機能付サドル１は、細長い板状体であり、その長手方向を胴部の表面と略平行に、板面を胴部の表面と略垂直に配設される。当該ピックアップ機能付サドル１は、サドル本体２と、このサドル本体２内に配設されるセンサ３、上補強部４及び下補強部５とを備える。以下、このピックアップ機能付サドル１の構造を具体的に説明する。
【００１９】
サドル本体２は、上面に弦Ｘが当接する複数の弦当接位置を有する。サドル本体２は、略直方体形状のサドル上部２ａと、このサドル上部２ａの下面に位置する略直方体形状のサドル下部２ｂとからなる。サドル本体２は、内部（サドル上部２ａとサドル下部２ｂとの間）にセンサ３が収納される内部空間部６ａを有し、さらにセンサ３に接続されるリード線（図示せず）を内部空間部６ａからサドル下部２ｂの下側に挿通させるリード線挿通孔６ｂを有する。内部空間部６ａには、センサ３が上補強部４及び下補強部５を介して配設されている。
【００２０】
サドル上部２ａのサイズとしては、当該ピックアップ機能付サドル１が装着される弦楽器の弦を支持できるものであれば特に限定されず、例えば６弦を有するアコースティックギターに装着する場合、長さ（弦の並び方向）が７０ｍｍ以上９０ｍｍ以下、幅（弦と平行方向）が２ｍｍ以上４ｍｍ以下、高さ（弦の当接方向）が３ｍｍ以上６ｍｍ以下とすることができる。また、サドル下部２ｂのサイズとしては、長さ及び幅はサドル上部２ａと同様とすることができ、高さは３ｍｍ以上６ｍｍ以下とすることができる。
【００２１】
サドル上部２ａ及びサドル下部２ｂの材質としては、サドルの材質として公知のものを用いることができ、例えば、象牙、牛骨、合成樹脂等を用いることができるが、剛性及びコストの観点から、ユリア樹脂が特に好ましい。なお、サドル上部２ａとサドル下部２ｂとで異なる材質を用いることも可能である。
【００２２】
また、サドル上部２ａの弦当接面から内部空間部６ａまでの距離としては、例えば３ｍｍ以上６ｍｍ以下とすることができ、内部空間部６ａのサイズとしては、例えば長さが６５ｍｍ以上８５ｍｍ以下、幅が２ｍｍ以上４ｍｍ以下、高さが０．５ｍｍ以上３ｍｍ以下とすることができる。さらに、リード線挿通孔６ｂの径としては２ｍｍ以上５ｍｍ以下とすることができる。
【００２３】
センサ３は、基板３ａと、複数の圧電素子３ｂとを有する平板状のセンサ体である。複数の圧電素子３ｂは、基板３ａの上面で、サドル本体２の複数の弦当接位置と対偶する位置、つまり、各弦の略真下に対偶配設されている。また、センサ３は、リード線が接続される電極端子（図示せず）を有する。弦Ｘの振動は、サドル上部２ａ及び上補強部４を介してセンサ３が有する各圧電素子３ｂに圧力として伝わり、電気信号に変換されてリード線から外部へと出力される。
【００２４】
前記基板３ａのサイズとしては特に限定されず、例えば厚みが５０μｍ以上３ｍｍ以下、幅が０．５ｍｍ以上３ｍｍ以下、長さが３０ｍｍ以上７０ｍｍ以下とすることができる。ただし、基板３ａの補強部に挟まれない部分が撓みやすいように、厚みは５０μｍ以上０．５ｍｍ以下とすることが好ましい。基板３ａの厚みを前記範囲とすることによって、補強部に挟まれない部分が胴振動によって撓みやすくなるため、補強部に挟まれる部分に胴振動による撓みが発生することを抑制することができる。
【００２５】
基板３ａの材質としては、特に限定されず、例えば合成樹脂、ゴム、金属、金属化合物、セラミックス等を用いることができる。基板３ａの材質の具体例としては、ケイ素、サファイア、アルミナ、ジルコニア、マグネシア、炭化ケイ素、ガラス、窒化珪素、ステンレス、炭化チタン、窒化チタン等を挙げることができ、これらの中でもジルコニアが好ましく、部分安定化ジルコニアが特に好ましい。このように靭性の高い材料を用いることによって基板３ａ自体を薄くすることができ、結果的にヤング率の高い材料であっても剛性を低く抑えることができる。そして、基板３ａの補強部に挟まれない部分を胴振動によって撓みやすくさせ、補強部に挟まれる部分に胴振動による撓みが発生することを抑制することができる。
【００２６】
前記圧電素子３ｂの構造は特に限定されず、例えば、圧電膜を上電極及び下電極で挟んだ構造を用いることができる。このような圧電素子３ｂのサイズとしては、弦の振動を十分な大きさの電圧に変換できれば特に限定されず、例えば厚みが１０μｍ以上１００μｍ以下、基材３ａの幅方向の長さが０．５ｍｍ以上２ｍｍ以下、基材３ａの長手方向の長さが０．５ｍｍ以上１０ｍｍ以下とすることができる。
【００２７】
圧電素子３ｂに用いる圧電膜の材質としては、圧電効果により電圧を生じさせるものであれば特に限定されず、例えば各種の酸化物や窒化物、高分子等を挙げることができる。圧電膜の材質の具体例としては、ジルコン酸チタン酸鉛（ＰＺＴ）、水晶、ニオブ酸リチウム、タンタル酸リチウム、四ホウ酸リチウム、ニオブ酸カリウム、ランガサイト系結晶などの単結晶、酸化亜鉛や窒化アルミニウムなどの配向結晶、ポリフッ化ビニリデン等を挙げることができ、これらの中でも高い圧電性を有するジルコン酸チタン酸鉛が特に好ましい。
【００２８】
圧電素子３ｂに用いる電極の材質としては、電気伝導性を有すれば特に限定されず、例えば白金、アルミニウム、ニッケル、鉄、金、銀、銅、パラジウム、クロム、あるいはこれらの合金等を挙げることができる。これらの中でも電気伝導率や化学的な安定性の観点から白金または金が好ましく、白金がより好ましい。
【００２９】
圧電素子３ｂの基板３ａへの積層方法としては、特に限定されず、例えばスクリーン印刷法、スパッタリング法、真空蒸着法、メッキ法、ディップ法等を用いることができる。
【００３０】
センサ３の電極端子へのリード線の接続方法は特に限定されず、公知の方法を用いることができる。具体的には、例えば、半田付け、圧着金具による接続、導電性接着剤による接着、ワイヤボンディング等を挙げることができる。なお、それぞれの圧電素子３ｂにリード線を接続することで、各弦の振動を分離出力することも可能である。ただし、本発明のピックアップ機能付サドル１によれば、胴振動の検出が抑えられるため、このような構成としなくとも十分に高質な音を出力することが可能である。
【００３１】
上補強部４は、平面視矩形状の平板状体であり、サドル上部２ａとセンサ３の有する各圧電素子３ｂとの間に、サドル本体２の複数の弦当接位置と対偶する位置にそれぞれ配設されている。この上補強部４はサドル上部２ａと一体形成され、各圧電素子３ｂに接合されている。なお、センサ３を裏返して、サドル上部２ａと基板３ａとを接合してもよい。
【００３２】
上補強部４のサイズとしては、平面視形状が圧電素子３ｂと略同形状であることが好ましく、例えば厚みが２０μｍ以上１ｍｍ以下、基材３ａの幅方向の長さが０．５ｍｍ以上２ｍｍ以下、基材３ａの長手方向の長さが０．５ｍｍ以上１０ｍｍ以下とすることができる。上補強部４は、当接する圧電素子３ｂと同一の寸法及び形状であってもよいし、どちらか一方が他方より大きくてもよいし、お互いに異なる形状であってもよい。
【００３３】
上補強部４の材質としては、サドル上部２ａと同じものが好ましい。サドル上部２ａと上補強部４との材質を同一にすることで、製造が容易になるほか、弦振動の伝達ロスの低下を防ぐことができる。
【００３４】
下補強部５は、平面視矩形状の平板状体であり、センサ３の有する基板３ａとサドル下部２ｂとの間に、センサ３を挟んで各上補強部４と対偶する（サドル本体２の複数の弦当接位置と対偶する）ように配設されている。この下補強部５は基板３ａの下面に付設されている。
【００３５】
下補強部５のサイズとしては、平面視形状が圧電素子３ｂと略同形状であることが好ましく、例えば厚みが２０μｍ以上１ｍｍ以下、基材３ａの幅方向の長さが０．５ｍｍ以上２ｍｍ以下、基材３ａの長手方向の長さが０．５ｍｍ以上１０ｍｍ以下とすることができる。上補強部５は、上補強部４又は圧電素子３ｂと同一の寸法及び形状であってもよいし、異なる寸法であってもよいし、異なる形状であってもよい。
【００３６】
下補強部５の材質としては、特に限定されないが、センサ３への胴振動の伝達を抑制するために、サドル下部２ｂと異なる材質を用いることが好ましい。また特に、下補強部５による補強部分における剛性を高める観点からはヤング率の高い材料が好ましく、例えば、真鍮、鉄、ステンレス等の金属材料、またはアルミナ、窒化アルミ等のセラミック材料等を用いることができる。また、胴の振動伝達をより抑える観点から、下補強部５の下側に振動を吸収する柔らかい材料からなる部材をさらに配置してもよい。この振動を吸収する柔らかい材料としては、例えば、エラストマー、ポリエチレン等が挙げられる。
【００３７】
下補強部５を基板３ａの下面に付設させる方法としては特に限定されず、例えば、接着剤によって下補強部５の上面を基板３ａの下面に接着させる方法を用いることができる。
【００３８】
センサ３のサドル本体２への固定方法は特に限定されるものではなく、圧電素子３ｂを上補強部４に接合してもよく、下補強部５をサドル下部２ｂに接合してもよく、サドル上部２ａとサドル下部２ｂとで挟持するのみでもよい。ただし、弦の振動をより確実に伝達できるように、各圧電素子３ｂの表面を各上補強部４に接着させることが好ましい。
【００３９】
なお、サドル上部２ａとサドル下部２ｂとは、例えばピン止め、ネジ止め、接着剤による接合等の手段で固定される。
【００４０】
当該ピックアップ機能付サドル１は、複数の圧電素子３ｂがサドル本体２の複数の弦当接位置の下方に対偶配設されており、各圧電素子３ｂの上面に上補強部４が配設され、基板３ａ及び圧電素子３ｂを挟んでこの上補強部４と対偶する位置に下補強部５が付設（固着）されている。これにより、基板３ａにおいて、圧電素子３ｂが積層されている部分が、圧電素子３ｂが積層されていない部分に対して高い剛性を有する。そのため、胴振動による撓みは、圧電素子３ｂが積層されていない部分に生じやすく、圧電素子３ｂが積層されている部分には生じにくい。つまり、サドル本体２は圧電素子３ｂに胴振動による圧力が加わりにくい構造を有する。その結果、当該ピックアップ機能付サドル１は、胴振動の混入率が低い弦振動の電気信号を出力することができる。
【００４１】
さらに、当該ピックアップ機能付サドル１においては、圧電素子３ｂが基板３ａの上面に積層され、下補強部５が基板３ａの下面側に付設されることによって、圧電素子３ｂへの胴振動の伝達が抑制される。さらに、サドル上部２ａと一体形成された上補強部４が圧電素子３ｂの上面側に偶配設されることによって、圧電素子３ｂに各弦の振動が伝達されやすくなる。その結果、当該ピックアップ機能付サドル１は、高い胴振動伝達防止効果を有する。
【００４２】
＜第二実施形態＞
図２のピックアップ機能付サドル１１は、前記図１のピックアップ機能付サドル１と同様であり、サドル本体１２と、このサドル本体１２内に配設されるセンサ３と、上補強部４及び下補強部５とを備える。この圧電センサ３と、上補強部４及び下補強部５とは、前記ピックアップ機能付サドル１と同様であるため、同一番号を付して説明を省略する。
【００４３】
サドル本体１２は、上面に弦Ｘが当接する弦当接位置と、内部空間部１６ａとを有する。前記内部空間部１６ａにはセンサ３が収納され、合成樹脂が充填される。また、サドル本体１２は、センサ３に接続されるリード線（図示せず）を内部空間部１６ａからサドル本体１２の下側に挿通させるリード線挿通孔１６ｂを有する。
【００４４】
サドル本体１２のサイズとしては、当該ピックアップ機能付サドル１１が装着される弦楽器の弦を支持できるものであれば特に限定されず、例えば６弦を有するアコースティックギターに装着する場合、長さが７０ｍｍ以上９０ｍｍ以下、幅が２ｍｍ以上４ｍｍ以下、高さが５ｍｍ以上１５ｍｍ以下とすることができる。
【００４５】
また、サドル本体１２の弦当接面から内部空間部１６ａまでの距離及び内部空間部１６ａのサイズは、図１のピックアップ機能付サドル１と同様とすることができる。
【００４６】
サドル本体１２の材質としては、サドルの材質として公知のものを用いることができ、例えば、象牙、牛骨、人口象牙、合成樹脂等を用いることができるが、剛性及びコストの観点から、ユリア樹脂が特に好ましい。
【００４７】
内部空間部１６ａにおいては、各圧電素子３ｂが各上補強部４に接合されている。圧電素子３ｂと上補強部４とを接合する方法としては特に限定されず、例えば、接着剤によって接着させる方法を用いることができる。
【００４８】
内部空間部１６ａには合成樹脂が充填され、センサ３が固定されている。内部空間部１６ａに充填する合成樹脂としては特に限定されないが、基板３ａを撓みやすくするために、例えば、エラストマー等を用いることが好ましい。なお、内部空間部１６ａに合成樹脂を充填しないことも可能である。その場合、センサ３を構成する基板３ａを特に撓みやすくすることができる。
【００４９】
当該ピックアップ機能付サドル１１は、図１のピックアップ機能付サドル１と同様の構造的特徴を有するため、圧電素子３ｂに胴の振動が伝達されにくくなると同時に、各弦の振動が伝達されやすくなるため、弦振動の伝達強度を胴振動の伝達強度に対して相対的に大きくすることができる。その結果、当該ピックアップ機能付サドル１１は、胴振動の混入率が低い弦振動の電気信号を出力することができる。
【００５０】
＜第三実施形態＞
図３のピックアップ機能付サドル２１は、サドル本体２と、このサドル本体２内に配設されるセンサ２３と、上補強部４及び下補強部５とを備える。このサドル本体２と、上補強部４及び下補強部５と、サドル本体２内の内部空間部６ａ及びリード線挿通孔６ｂとは、前記図１のピックアップ機能付サドル１と同様であるため、同一番号を付して説明を省略する。
【００５１】
センサ２３は、基板２３ａと、単一の圧電素子２３ｂとを有する平板状のセンサ体である。圧電素子２３ｂは、基板２３ａの上面に帯状に積層されている。各圧電素子２３ｂは、上補強部４に接合されている。弦Ｘの振動は、サドル上部２ａ及び上補強部４を介してセンサ２３が有する圧電素子２３ａの上補強部４と接触する部位に圧力として伝わり、電気信号に変換されてリード線から外部へと出力される。
【００５２】
基板２３ａは、図１のピックアップ機能付サドル１の基板３ａと同様とすることができる。
【００５３】
前記圧電素子２３ｂの構造は特に限定されず、例えば、圧電膜を上電極及び下電極で挟んだ構造を用いることができる。このような圧電素子２３ｂのサイズとしては、各弦の振動を十分な大きさの電圧に変換できれば特に限定されず、例えば厚みが１０μｍ以上１００μｍ以下、基材２３ａの幅方向の長さが０．２ｍｍ以上３ｍｍ以下、基材２３ａの長手方向の長さが３０ｍｍ以上７０ｍｍ以下とすることができる。
【００５４】
圧電素子２３ｂを形成する圧電膜及び電極の材質、並びに圧電素子２３ｂの基板２３ａへの積層方法は、図１のピックアップ機能付サドル１と同様とすることができるため、詳細な説明を省略する。
【００５５】
圧電素子２３ｂを上補強部４に接合する方法としては特に限定されず、例えば、接着剤によって圧電素子２３ｂを各上補強部４の下面に接着させる方法を用いることができる。
【００５６】
当該ピックアップ機能付サドル２１は、上補強部４及び下補強部５によって、圧電素子２３ｂに胴の振動が伝達されにくくなると同時に、各弦の振動が伝達されやすくなるため、弦振動の伝達強度を胴振動の伝達強度に対して相対的に大きくすることができる。その結果、当該ピックアップ機能付サドル２１は、胴振動の混入率が低い弦振動の電気信号を出力することができる。
【００５７】
また、当該ピックアップ機能付サドル２１は、センサ２３が単一の圧電素子２３ｂを有するため、センサ２３の製造及びサドル上部２ａへの接合を比較的容易に行うことができる。なお、本実施例では単一の圧電素子２３ｂにおいて、弦と対偶配置されない領域（上記補強部材が配置されない領域）での感度を低下させて、胴体の振動を検出しにくくすることもできる。感度を低下させる方法としては、例えば、圧電素子２３ｂを形成するときに、弦と対偶配置されない部分の幅を細めたり、厚さを小さくしたりする方法や、圧電素子２３ｂの弦と対偶配置されない部分に電極を積層しない方法等が考えられる。
【００５８】
＜その他の実施形態＞
本発明のピックアップ機能付サドルは前記実施形態に限定されるものではない。例えば、前記実施形態においては、上補強部をサドル上部と一体形成したが、各上補強部を別部材で形成して、サドル上部に付設してもよい。
【００５９】
また、各実施形態に示したような上補強部を備えず、下補強部のみを備えたピックアップ機能付サドルも本発明の意図する範囲内である。このようなピックアップ機能付サドルは、上補強部によるセンサの剛性向上効果及び弦振動の伝達性向上効果は得られないものの、上補強部を省略することによって生産性を向上させることができる。なお、上補強部を備えない場合、弦振動の伝達性を高めるために、センサをサドル上部の下面（又は内部空間部の上面）と接合させることが好ましい。
【００６０】
同様に、下補強部を備えず、上補強部のみを備えたピックアップ機能付サドルも本発明の意図する範囲内である。このようなピックアップ機能付サドルは、下補強部によるセンサの剛性向上効果が得られないものの、下補強部を省略することによって生産性を向上させることができる。
【００６１】
また、前記各実施形態では基材の上面に圧電素子を積層したが、本発明に用いることができるセンサの構造はこれに限定されず、基材の下面に圧電素子を積層してもよい。前述したように、圧電素子は基材の上面に積層することが望ましいが、ピックアップ機能付サドルの生産性に優れる場合等には、製造工程にあわせて圧電素子を下面に積層することも可能である。
【００６２】
さらに、サドル本体内に配設されるセンサとしては、基板を有さず、圧電膜フィルムの両面に電極をスクリーン印刷等で印刷したセンサ体を用いることも可能である。
【産業上の利用可能性】
【００６３】
以上説明したように、本発明のピックアップ機能付サドルは、胴振動の混入を抑えながら、弦振動を電気信号として出力することが可能である。そのため、弦楽器の演奏音を高質に電気出力することができ、アコースティックギター等の弦楽器に好適に用いることができる。
【符号の説明】
【００６４】
１、１１、２１  ピックアップ機能付サドル
２、１２  サドル本体
２ａ  サドル上部
２ｂ  サドル下部
３、２３  センサ
３ａ、２３ａ  基板
３ｂ、２３ｂ  圧電素子
４  上補強部
５  下補強部
６ａ、１６ａ  内部空間部
６ｂ、１６ｂ  リード線挿通孔
Ｘ  弦
【図１】
2013200427.tif 000003
【図２】
2013200427.tif 000004
【図３】
2013200427.tif 000005